(57)【要約】【課題】  人体が接触したか否かの検出精度を安定的にしつつ、遊技球の発射を停止できるようにする。【解決手段】  金属プレート１７３とプリント結線２２１が接触した状態であって、遊技者が金属プレート１７３と同電位となるハンドル本体に接触しつつ、マイクロスイッチ１６１ｂをオフにさせるように、マイクロスイッチ１６１ｂを検出回路１９１と金属プイレートの間に設けるようにさせる。本発明は、パチンコ遊技機に適用することができる。【選択図】  図１１
2006043003.tif 000002
【特許請求の範囲】
【請求項１】
人体が直接または間接的に接触する接触部と、
前記接触部が前記人体により直接または間接的に接触されるとき、前記人体の前記接触部への接触を電気的に検知する検知部と、
前記接触部と前記検知部との間で、相互の接続を開閉する開閉スイッチとを備え、
前記接触部と前記検知部との間で、抵抗、コンデンサ、および前記開閉スイッチとが直列に接続され、前記開閉スイッチが閉状態の場合、前記接触部が前記人体により直接または間接的に接触されるとき、前記検知部は、前記人体の前記接触部への接触を電気的に検知する
ことを特徴とする人体接触検知装置。
【請求項２】
前記開閉スイッチは、有接点スイッチである
ことを特徴とする請求項１に記載の人体接触検知装置。
【請求項３】
前記接触部と前記有接点スイッチの間の配線にサージ保護回路の一方の端部を接続し、前記サージ保護回路の他方の端部をフレームグランドに接続する
ことを特徴とする請求項１または２に記載の人体接触検知装置。
【請求項４】
前記接触部と前記有接点スイッチの間の配線にサージ保護回路の一方の端部を接続し、前記サージ保護回路の他方の端部を回路グランドに接続する
ことを特徴とする請求項１乃至３のいずれかに記載の人体接触検知装置。
【請求項５】
前記接触部と前記有接点スイッチの間の配線にサージ保護回路の一方の端部を接続し、前記サージ保護回路の他方の端部をフレームグランドに接続すると共に、前記サージ保護回路とフレームグランドの間の配線に、前記サージ保護回路とは異なるその他のサージ保護回路の一方の端部を接続し、前記その他のサージ保護回路の他方の端部を回路グランドもしくは他の安定電位に接続する
ことを特徴とする請求項１または２に記載の人体接触検知装置。
【請求項６】
前記サージ保護回路および前記その他のサージ保護回路は、アレスタもしくはマイクロギャップである
ことを特徴とする請求項３乃至５のいずれかに記載の人体接触検知装置。
【請求項７】
前記抵抗、前記コンデンサ、および前記開閉スイッチは、位置関係が固定された状態で配線されている
ことを特徴とする請求項１乃至６のいずれかに記載の人体接触検知装置。
【請求項８】
前記抵抗、前記コンデンサ、および前記開閉スイッチは、基板上の回路パターンにより位置関係が固定された状態で配線されている
ことを特徴とする請求項１乃至７に記載の人体接触検知装置。
【請求項９】
前記抵抗、前記コンデンサ、および前記開閉スイッチに加えて、前記サージ保護回路および前記その他のサージ保護回路は、前記基板上の回路パターンにより位置関係が固定された状態で配線されている
ことを特徴とする請求項１乃至８に記載の人体接触検知装置。
【請求項１０】
前記抵抗、前記コンデンサ、および前記開閉スイッチは、前記基板上の第１の面に、前記サージ保護回路および前記その他のサージ保護回路は、基板上の第２の面に、それぞれ回路パターンにより位置関係が固定された状態で配線されている
ことを特徴とする請求項１乃至９に記載の人体接触検知装置。
【請求項１１】
請求項１乃至１０のいずれかに記載の人体接触検知装置を備える
ことを特徴とするパチンコ遊技機。
【発明の詳細な説明】
【技術分野】
【０００１】
本発明は、人体接触検知装置に関し、特に、人体の接触検知動作を安定的に実現すると共に、人体接触の検出精度の低下を抑制しつつ（ばらつきを抑制しつつ）、静電気による装置の破壊を防止できるようにし、さらに、取り付け操作を容易にできるようにした人体接触検知装置に関する。
【背景技術】
【０００２】
パチンコ遊技機には、遊技球の検出、人体（遊技者）の検出、あるいは構造部材の位置検出などの目的で、数多くのスイッチが使用されている。 この中で、パチンコ遊技機の動作を開始させる動作契機スイッチの場合、有接点スイッチを用いると開閉時に独特のチャタリングが発生してしまうことから、有接点スイッチに代えて小型電子スイッチを使用することが主流となっている。このような動作契機スイッチとしては、遊技球の通過を検出する近接スイッチの他、最近では遊技球の発射装置を動作させるハンドルに遊技者が接触することにより変化する静電容量に基づいて、人体の接触を検出する静電容量型人体検出タッチスイッチなどが導入されつつある。
【０００３】
人体検出タッチスイッチとは、予め設けられた金属製のプレートに人体が（直接または間接的に）接触した場合、そのプレートの大地間容量の変化に基づいて、人体が接触したか否かを判定し、判定結果を信号として出力するものである。
【０００４】
さらに、パチンコ遊技機の発射装置に対しては、遊技者が、ハンドルを握りながら遊技者の意思で遊技球の発射を停止させる機能を設けることが定められており、この機能として有接点式のストップスイッチが用いられている。
【０００５】
そこで、ハンドル本体に人体検出タッチスイッチとハンドルを握りながら遊技者の意思で遊技球の発射を停止させる機能としてのストップスイッチを別個に内蔵し、マイクロスイッチの入り切りによって人体検出タッチスイッチの給電状態を切替えることで、人体検出タッチスイッチとストップスイッチの動作の処理を簡素化するものがある（例えば、特許文献１，２参照）。
【０００６】
また、このような人体検出タッチスイッチがパチンコ遊技機内部に導入される場合、静電気対策を施す必要が生じる。
【０００７】
すなわち、タッチスイッチへの静電気放電は、冬場などに静電気が帯電している遊技者（人体）がタッチスイッチに接触する、もしくはタッチスイッチに接近することにより発生する。このときの静電気の放電電圧は、例えば、毛織物等を着用している人体が絨毯上を歩行した場合など、数万ボルトにも達する。一般に、電子スイッチの静電気耐力は、有接点スイッチと比べて著しく低く、上述したような静電気による過電圧がタッチスイッチに放電された場合、内部の電子部品は静電破壊してしまう恐れがある。従って、このような人体検出タッチスイッチ回路は、人体が接触したか否かの検出動作を行う構成に加えて、静電気保護動作を行う構成とを共存させる必要がある。
【０００８】
小型電子スイッチの静電気対策に関して、人体の接触を検知する検出電極に人体が接触した場合、同時に帯電していた静電気が回路内部に侵入しても、保護素子を介して回路グランドに直接通じる放電ルートを形成させることで、回路グランドを通じて静電気をタッチスイッチの外部に直ちに放電し、発振回路などの静電気耐力の低い箇所への影響を抑えられるようにするものがある（例えば、特許文献３参照）。
【０００９】
また、回路グランドへの放電ルートに代えて、回路グランドよりも安定した接地部位であるフレームグランドに放電させるようにしたものがある（例えば、特許文献２参照）。
【００１０】
【特許文献１】特開２００４−１６７２１２号公報
【特許文献２】特開２００４−１６７２１３号公報
【特許文献３】特開平１１−３４５５５２号公報
【発明の開示】
【発明が解決しようとする課題】
【００１１】
ここで、図１を参照して、上述したストップスイッチを含むタッチスイッチについて説明する。
【００１２】
タッチスイッチ１は、パチンコ遊技機の遊技球を発射させるために操作される操作ハンドルのハンドル本体ベースＢ内に設けられている。タッチスイッチ１の検出回路１５は、回路基板１６に配置され、遊技球の発射など各種の機能を制御する制御基板５より供給される電力により駆動し、タッチアンテナ１１により人体の接触を検知すると、コネクタ１３および電気経路４を介して接触検知信号を制御基板５に供給する。より詳細には、コネクタ１３の端子１３ａは、電力供給線、検知結果を送信する信号線、およびグランド線から構成されており、検出回路１５は、コネクタ１３より供給される電力により駆動し、検出結果を、コネクタ１３を介して制御基板５に出力する。
【００１３】
制御基板５は、タッチスイッチ１より供給される検知結果に基づいて、人体が接触していることが検知されたことを示す信号が供給されると、モータＭ６を駆動させて、遊技球を図示せぬパチンコ遊技機において発射させる。
【００１４】
検出回路１５とコネクタ１３の間には、コネクタ１４、接続線１２ａ、およびストップスイッチ１２が設けられている。ストップスイッチ１２は、遊技者が遊技球の発射を停止させたいときオフにされ、それ以外のとき、オンの状態である。ストップスイッチ１２は、オンの状態のとき検出経路１５からの出力結果を直接コネクタ１３に出力するが、オフにされると強制的に接触検知の信号が遮断される構成となっている。結果として、ストップスイッチ１２がオフにされた状態のとき、制御基板５には、検出回路１５から、タッチアンテナ１１に人体が接触しているか否かに関わらず、常に人体接触検知信号が供給されない状態となる。このため、モータM６も駆動されることがないため、遊技球の発射が強制的に停止される。
【００１５】
また、タッチアンテナ１１は、配線２を介してアレスタ３ａが設けられたアレスタ基板３を介して接地されている。
【００１６】
図１のように、遊技球の発射を停止させる手段としてストップスイッチ１２を検出回路１５の電源供給経路に設けることにより、ストップスイッチ１２の開閉にて検出回路１５への給電状態を切替えることで、パチンコ遊技機の遊技球の発射制御を簡素化している。しかしながら、検出回路１５への給電状態を切替える場合、検出回路１５に電源供給が行き渡るまでの一定時間、制御基板５上の回路動作が保証されない状態となるため、検出回路１５による電源投入時に誤動作パルスが発生したり、正規信号の出力開始タイミングが遅れたりしてしまうという課題があった。
【００１７】
また、ストップスイッチ１２として有接点スイッチを用いて、給電状態を切替える場合、検出回路１５への電源供給や、検出回路１５からの出力信号において、チャタリングが発生する恐れがあり、結果として、後段においてチャタリングの対策となる構成を設ける必要があった。
【００１８】
さらに、パチンコ遊技機にて使用されている検出回路１５としては高周波発振型のタッチスイッチが一般的であり、例えば、直流２線式のタッチスイッチ１（特許文献２参照）の場合、ストップスイッチ１２を開状態（オフ状態）にして検出回路１５への給電状態を停止させた場合と、タッチスイッチ１が人体接触を検知した場合とで、後段の制御回路５での判別が困難であるという課題があった。
【００１９】
すなわち、直流２線式の検出回路１５を用いた高周波発振型タッチスイッチ１の場合、検出回路１５は、人体がタッチアンテナ１１に接触すると静電容量の付加により内部の図示せぬ発振回路からの発振を停止して、結果として動作がオフの状態となる。また、検出回路１５は、人体がタッチアンテナ１１に接触していないと静電容量の付加がない状態となり、内部の図示せぬ発振回路から所定の周波数の信号を発振し、結果として動作がオンの状態となる。
【００２０】
このとき、検出回路１５の動作がオフ状態であっても回路を動作させておくために一定の消費電流が流れることになり（一般的に漏れ電流と呼ばれる）、逆に、検出回路１５の動作がオン状態であっても回路動作を維持するために一定の内部定電圧が存在する（一般的に残電圧と呼ばれる）。
【００２１】
直流２線式の高周波発振型のタッチスイッチ１の漏れ電流、および残電圧は、いずれも最小化する必要があるため、検出回路１５がオフ状態（開状態）の場合、消費電流は最小化されることになる。結果として、消費電流の少ない発振停止状態の人体接触検知時においては、検出回路１５は、オフ状態に設定されることになる。
【００２２】
人体接触検知時に検出回路１５をオン状態（閉状態）の場合に、検出回路１５の動作を停止させるように構成することは可能であるが、漏れ電流が非常に大きくばらつきが出やすい特性になるため、動作を制御するのが困難であることが予想される。
【００２３】
従って、タッチスイッチ１の検出状態が人体接触検知時の検出回路１５がオフ状態である場合に、タッチスイッチ１の給電状態が停止状態に切替えられたとしても、検出回路１５のオフ状態と、タッチスイッチ１への給電停止による非動作状態となるだけであるため、この差違を判別することは非常に困難であり、結果として、パチンコ遊技機を目的とするストップスイッチ１２の機能が現実には、実現できないという課題があった。
【００２４】
また、図１においては、外付けで有接点スイッチからなるストップスイッチ１２が設けられているが、タッチスイッチ１としての接続部位が増え（コネクタ１３，１４）、実際にはタッチスイッチ１が大型化してしまい、狭いスペースのハンドル本体内に内蔵することが現実的に困難になってしまうと共に、コネクタ数が増えるに伴って制作にかかる工数やコストが増大してしまうという課題があった。
【００２５】
さらに、タッチスイッチ１としての接続が増えてしまう結果、部品点数が削減されないことになるため、主目的であるハンドル本体の簡素化を図る事ができないという課題があった。
【００２６】
また、有接点スイッチからなるストップスイッチ１２は、電力供給線を直接開閉する位置に挿入すると上述したような様々な不具合が予想されるため、代わりに検出回路１５の内部における小信号回路を開閉させる構成が考えられるが、静電容量高周波発振回路からなる検出回路１５の内部に有接点スイッチからなるストップスイッチ１２を挿入すると、有接点スイッチからなるストップスイッチ１２自身の大地間容量、および接続線１２ａに関係する浮遊容量が発振回路の静電容量検知特性の変動要因になるため（特に接続線１２ａの引き回し方法、周囲金属の影響、および他の配線との接近度合などは、ハンドル毎に変化する可能性がある）、タッチスイッチ１の動作のばらつきを増大させてしまう恐れがあった。
【００２７】
さらに、上述したようなタッチスイッチをパチンコ遊技機に搭載した場合、静電気に関係する新たな問題が発生してしまう。
【００２８】
すなわち、図１で示されるようなタッチアンテナ１１の構成により、例えば、静電気を帯びた遊技者がハンドル本体ベースＢの金属部に触れると、検出回路１５が反応し、人体接触有無信号が制御基板５に伝送される機能を持ち、同時に人体に帯電していた静電気もハンドル本体ベースＢに放電される。
【００２９】
このような場合、例えば、図１のタッチスイッチ１において、タッチアンテナ１１から配線２、アレスタ基板３が接続されておらず、また、静電気対策として回路グランドに直接放電させるような構成であった場合、前述の静電気は検出回路１５を素通りして、電気経路４を通過し、制御基板５に到達する。この結果、制御基板５の静電破壊の発生など、タッチスイッチ１以外の箇所での不具合を引き起こす恐れがある。すなわち、回路グランドに静電気を放電させるような場合、静電気によるタッチスイッチ１の回路保護は行うことができるものの、パチンコ遊技機のその他の箇所に悪影響を引き起こす恐れがあった。
【００３０】
そこで、図１で示されるように、タッチスイッチ１においては、制御基板５の静電気破壊対策として、アレスタ３ａでの保護が実施されている。すなわち、ハンドル本体ベースＢのタッチアンテナ１１の金属部に、アレスタ基板３の一方の端部が接続され、アレスタ基板３の他方の端部がフレームグランドFGに接地されている。アレスタ基板３自身は、ハンドル本体ベースＢ内、もしくは配線２を通じてパチンコ遊技機側に配置されている。
【００３１】
ここでいうフレームグランドFGへの接地とは、フレームグランド（以下、FGとも称する）と称するパチンコ遊技機に備えられた金属筐体への接続を意味し、パチンコ遊技機の外枠、盤面カバー、あるいは本体骨組みの金属部が一括接続されたものであり、漏電、感電等の事故防止のため内部回路とは電気的に絶縁された状態で安定的に電位が保証されたグランドである。
【００３２】
すなわち、パチンコ遊技機内部の回路グランド電位は、大地とは絶縁された、所謂宙に浮いた状態であって、決して安定接地電位ではなく、その安定度は回路グランドの持つ大地間容量で決定される。逆に、パチンコ遊技機全体ではフレームグランドFGこそ安定的な接地電位であり、静電気などのサージを放電するには、最終到達点として最適であるともいえる。
【００３３】
従って、パチンコ遊技機に搭載されるタッチスイッチ１では、安定性が保証されない回路グランドよりも、フレームグランドFGへの放電ルートを確保することが、より完全な静電気対策につながる。
【００３４】
すなわち、図１に示される静電気対策としてアレスタ３ａ、アレスタ基板３、および配線２がフレームグランドFGに接地された状態でタッチアンテナ１１に接続されると、タッチスイッチ１およびパチンコ遊技機を静電気放電から安定的に保護することが可能になる。しかしながら、一方で、配線２の持つ浮遊容量がタッチアンテナ１１に付加されることになるため、配線２の配置方法等の違いでタッチスイッチ１による人体接触の検出精度が低下してしまう（ばらつきが生じてしまう）という課題があった。
【００３５】
さらに、タッチスイッチ１とストップスイッチ１２とをそれぞれ別に配線することにより、製造時の作業工数が増えてしまうため製造に手間が係ると共に、それぞれを別に配線することにより部品点数が増えるため、製品コストを増大させてしまうという課題があった。
【００３６】
本発明はこのような状況に鑑みてなされたものであり、人体の接触の検知動作を安定的なものとすると共に、人体接触の検出精度の低下を抑制しつつ（ばらつきを抑制しつつ）、静電気による装置の破壊を防止できるようにし、さらに、製造に係る作業工数および部品点数の増大を抑制するものである。
【課題を解決するための手段】
【００３７】
本発明の人体接触検知装置は、人体が直接または間接的に接触する接触部と、接触部が人体により直接または間接的に接触されるとき、人体の接触部への接触を電気的に検知する検知部と、接触部と検知部との間で、相互の接続を開閉する開閉スイッチとを備え、接触部と検知部との間で、抵抗、コンデンサ、および開閉スイッチとが直列に接続され、開閉スイッチが閉状態の場合、接触部が人体により直接または間接的に接触されるとき、検知部は、人体の接触部への接触を電気的に検知することを特徴とする。
【００３８】
前記開閉スイッチは、有接点スイッチとするようにすることができる。
【００３９】
前記接触部と有接点スイッチの間の配線にサージ保護回路の一方の端部を接続し、サージ保護回路の他方の端部をフレームグランドに接続させるようにすることができる。
【００４０】
前記接触部と有接点スイッチの間の配線にサージ保護回路の一方の端部を接続し、サージ保護回路の他方の端部を回路グランドに接続させるようにすることができる。
【００４１】
前記接触部と有接点スイッチの間の配線にサージ保護回路の一方の端部を接続し、サージ保護回路の他方の端部をフレームグランドに接続させるようにすると共に、サージ保護回路とフレームグランドの間の配線に、サージ保護回路とは異なるその他のサージ保護回路の一方の端部を接続し、その他のサージ保護回路の他方の端部を回路グランドもしくは他の安定電位に接続させるようにすることができる。
【００４２】
前記サージ保護回路およびその他のサージ保護回路は、アレスタもしくはマイクロギャップとするようにすることができる。
【００４３】
前記抵抗、コンデンサ、および開閉スイッチは、位置関係が固定された状態で配線されているようにすることができる。
【００４４】
前記抵抗、コンデンサ、および開閉スイッチは、基板上の回路パターンにより位置関係が固定された状態で配線されているようにすることができる。
【００４５】
前記抵抗、コンデンサ、および開閉スイッチに加えて、サージ保護回路およびその他のサージ保護回路は、基板上の回路パターンにより位置関係が固定された状態で配線されているようにすることができる。
【００４６】
前記抵抗、コンデンサ、および開閉スイッチは、基板上の第１の面に、サージ保護回路およびその他のサージ保護回路は、基板上の第２の面に、それぞれ回路パターンにより位置関係が固定された状態で配線されているようにすることができる。
【００４７】
本発明のパチンコ遊技機は、請求項１乃至１０のいずれかに記載の人体接触検知装置を設けるようにさせることができる。
【００４８】
本発明の人体接触検知装置おいては、接触部が人体により直接または間接的に接触され、接触部が人体により直接または間接的に接触されるとき、検知部により人体の接触部への接触が電気的に検知され、開閉スイッチにより接触部と検知部との間で、相互の接続が開閉され、接触部と検知部との間で、抵抗、コンデンサ、および開閉スイッチとが直列に接続され、開閉スイッチが閉状態の場合、接触部が人体により直接または間接的に接触されるとき、検知部により、人体の接触部への接触が電気的に検知される。このため、安定的に人体の接触を検知することが可能となる。
【００４９】
前記開閉スイッチは、例えば、図５で示されるような有接点スイッチからなるマイクロスイッチ１６１ｂとするようにすることができる。マイクロスイッチ１６１ｂは、検出回路１９１（図１１）の前段に設けられることにより、チャタリングなどが発生しても、例えば、図１１の検出回路１９１内の積分回路２４４により平滑化されることにより、人体が非接触であることを示す所定の周波数の発振信号を安定的に発生させることが可能となる。
【００５０】
前記接触部と前記有接点スイッチの間の配線にその一方の端部が接続され、他方の端部がフレームグランドに接続されるサージ保護回路は、例えば、図１１のマイクロギャップ２２２であり、例えば、静電気が帯電している人体が、金属プレート１７３に接触することにより、所定の電圧以上の高電圧の静電電圧が印加された場合（マイクロギャップ２２２の絶縁耐圧を越えて通電するような電圧が印加された場合）、抵抗１９３により検出回路１９１への放電経路が遮断され、マイクロギャップ２２２に電圧が印加されることにより、後段の（フレームグランドFGとしての）ガラス扉補強板１０６（図３）を介して静電気が放電される。結果として、パチンコ遊技機１００の全ての回路に対して、高電圧の静電気が通電しないため、静電破壊が抑止される。
【００５１】
前記接触部と前記有接点スイッチの間の配線にその一方の端部が接続され、他方の端部が回路グランドに接続されるサージ保護回路は、例えば、図１１のマイクロギャップ２２３であり、例えば、静電気が帯電している人体が、金属プレート１７３に接触することにより、所定の電圧以上の高電圧の静電電圧が印加された場合（マイクロギャップ２２３の絶縁耐圧を越えて通電するような電圧が印加された場合）、抵抗１９３により検出回路１９１への放電経路が遮断され、マイクロギャップ２２３に電圧が印加されることにより、後段の回路グランド（電源２４８のコールド側）を介して静電気が放電される。結果として、タッチスイッチ１６３の主たる回路である検出回路１９１に対しては、高電圧の静電気が通電しないため、静電破壊が抑止される。
【００５２】
本発明のサージ保護回路は、例えば、図１１のマイクロギャップ２２２であり、その他のサージ保護回路は、例えば、図１１のマイクロギャップ２２３であり、サージ保護回路であるマイクロギャップ２２２により静電気が放電されるべきガラス扉補強板１０６から完全に静電気を放電させることができない状態であるとき、その絶縁耐圧を越えると通電し、回路グランドに静電気を放電させることにより、ガラス扉補強板１０６により吸収し切れなかった静電気を回路グランドに放電させることで、検出回路１９１への通電を遮断する。結果として、万が一ガラス扉補強板１０６が十分に静電気を放電させることができないような状態であっても、タッチスイッチ１６３の主たる回路である検出回路１９１に対しては、高電圧の静電気が通電しないため、静電破壊が抑止される。
【００５３】
本発明の接触部、サージ保護回路、フレームグランド接地部、抵抗、コンデンサ、および開閉スイッチは、例えば、図１１で示される金属プレート１７３、マイクロギャップ２２２、コネクタ１８１のフレームグランドFG端子１８１ａ、抵抗１９３、コンデンサ１９２、およびマイクロスイッチ１６１ｂであり、それぞれが銅箔パターンよりなる基板により接続されている。結果として、金属プレート１７３と、マイクロギャップ２２２および（フレームグランドFGとしての）ガラス扉補強板１０６との位置関係が固定されることにより、配線による浮遊容量の変化が抑制され、タッチスイッチ１６３の人体接触の検出精度の低下（ばらつき）を抑制することが可能となる。
【発明の効果】
【００５４】
本発明によれば、人体の接触検知動作を安定的に実現すると共に、人体接触の検出精度の低下を抑制しつつ（ばらつきを抑制しつつ）、静電気による装置の破壊を防止できるようにすることが可能になると共に、取り付け操作に係る工数や部品点数を抑制しコストを抑制することが可能となる。
【発明を実施するための最良の形態】
【００５５】
図２，図３は、本発明を適用したパチンコ遊技機１００の構成を示した図である。
【００５６】
図２は、パチンコ遊技機１００の本体正面斜視図であり、図３は、パチンコ遊技機１００の背面図である。また、図２は、パチンコ遊技機１００のガラス扉１０５が、図中の点線で示される軸を中心に回動して、本体に対して開放された状態を示している。
【００５７】
図２で示されているように、パチンコ遊技機１００の本体内には発射装置の機構部１０１が設けられている。この機構部１０１は、金属製のベース板１０２を有している。ベース板１０２はパチンコ遊技機１００の前面枠１０３（または基枠）に固定される一方、ベース板１０２には発射モータ、発射用カム、打球槌、および、これを付勢するスプリング等が取り付けられている。
【００５８】
ハンドルユニット１１１は、パチンコ遊技機１００の本体前面に設けられている。そしてハンドルユニット１１１に設けられたハンドル本体１１２の操作つまみ１１３が、図中パチンコ遊技機１００の本体正面からみて時計方向に回転することにより、図示せぬ遊技球の発射制御ユニットが動作する。
【００５９】
すなわち、操作つまみ１１３は、遊技者により操作されていない状態のとき、図示せぬスプリング等により、図中パチンコ遊技機１００の本体正面からみて反時計回りに回転可能な限界角度で停止した状態とされる。遊技者が、この操作つまみ１１３を把持して図中の時計回りに回転させることにより、ハンドルユニット１１１は、操作つまみ１１３の回転角度に応じて、対応する信号を図示せぬ発射装置に伝達する。図示せぬ発射装置は、制御回路１２２により制御され、ハンドルユニット１１１から供給される操作つまみ１１３の回転角度に応じた信号に基づいて、発射モータや発射カムを動作させることにより遊技球の打球槌の強度を制御して、遊技球を発射させる。
【００６０】
また、ハンドルユニット１１１のハンドル本体１１２には、タッチスイッチ１６３（図４）が内蔵されており、ハンドル本体１１２を遊技者が把持しているか否かを検知し（遊技者がハンドル本体１１２に接触しているか否かを検知し）、検知結果を制御部１２２に供給する。この検知結果により、例えば、遊技者がハンドル本体１１２を把持していないと判定されたとき、制御部１２２は、発射装置を制御して、操作つまみ１１３の回転角度に無関係に遊技球の発射を停止させる。一方、遊技者がハンドル本体１１２を把持していると判定されたとき、制御部１２２は、操作つまみ１１３の回転角度に応じて遊技球を発射させるように制御する。ハンドル本体１１２は、表面に金属等の導体のメッキが施されており、後述するタッチスイッチ１６３（図４）の金属プレート１７３ａ，１７３ｂ（図５）と電気的に接続されており、タッチスイッチ１６３（図４）は、金属プレート１７３を介してハンドル本体１１２に人体が接触することにより変化する静電容量に基づいて、人体の接触の有無を検知する。
【００６１】
さらに、図３で示されるように、パチンコ遊技機１００は、その本体内に電源１２１が装備されている。電源１２１は電源端子１３１を通じて交流電源を取り入れ、これを直流電源に変換する。このとき、電圧は、例えば、複数の段階（例えば、３段階）に調整される。これらの複数の供給電圧は、例えば、それぞれ低・中・高電圧（例えば、５Ｖ，１２Ｖ，３４Ｖ）などに設定される。
【００６２】
電源１２１には賞球制御基板１２４が接続されている。この賞球制御基板１２４は、例えば、図示せぬ遊技領域にて遊技球が入賞口に入ると、これに基づく賞球指令信号を受信して賞球の払出動作を制御する。尚、遊技領域は、パチンコ遊技機１００の遊技盤面中に形成されている。
【００６３】
制御回路１２２は、賞球制御基板１２４に接続されている。制御回路１２２はパチンコ遊技機１００の主制御回路を有しており、ここでは例えば、役物の動作制御、当り判定、確率設定、入賞検出、大当り制御（大入賞口の開閉）、演出指示処理等を行うための各種のプログラムが実行されている。
【００６４】
サブ制御回路１２３は、制御回路１２２の下に接続されており、遊技の進行に伴う効果音や音声の出力、発光装飾、映像による演出等の各種制御をするプログラムを実行する。
【００６５】
図２のベース板１０２は錠装置１０４に接続（アースボンド）されており、図２に示される状態からガラス扉１０５が閉じられると、その内面にあるガラス扉補強板１０６に錠装置１０４が係止されることで、ガラス扉補強板１０６と錠装置１０４とが電気的に接続（アースボンド）される。さらにガラス扉補強板１０６はパチンコ遊技機１００のフレームグランド（FG）に接続されている。
【００６６】
図３に示されているように、パチンコ遊技機の背面には上述した制御回路１２２やサブ制御回路１２３、電源１２１等が装備されており、このうち電源１２１には電源コード１３１とともにアース線１３２が接続されている。このアース線１３２は、パチンコ遊技機１００の各所から集まるフレームグランドFGを１つに取りまとめ、島設備等のアース装置に接続される。結果として、フレームグランドFGは、回路グランド（直流電源のコールド側）とは異なり、安定電位が確保されているグランドである。
【００６７】
次に、図４を参照して、ハンドルユニット１１１の詳細な構成について説明する。図４は、タッチスイッチ１６３が、ハンドルユニット１１１に装着された状態を示す分解斜視図である。タッチスイッチ１６３は、金属メッキが施された樹脂成形部材１５０の底面部１５１上に、タッチスイッチ１６３の金属プレート１７３（図８）が底面部１５１と並行になるよう設置されており、さらに、図５，図６で示されるように、金属製ネジ１６２ａ，１６２ｂにて螺合されている。尚、図５は、タッチスイッチ１６３をパチンコ遊技機１００の正面から見たときの上面図であり、図６は、タッチスイッチ１６３の側面図である。
【００６８】
図６で示されるように、金属製ネジ１６２ａ，１６２ｂは、金属プレート１７３（図８）の穴部１７３ａ，１７３ｂ（図８）および穴部１７１ｅ，１７１ｆ（図８）をそれぞれ貫通して、樹脂成形部材１５０に螺合されて固定されることにより、ハンドル本体１１２と金属プレート１７３とが電気的に接続される。さらに、タッチスイッチ１６３のコネクタ（配線引き出し部）１８１が、樹脂成形部材１５０の底面部１５１上に設けられているコネクタ１８２と接続される
【００６９】
また、タッチスイッチ１６３は、マイクロスイッチ本体１６１が一体化した構造となっている。マイクロスイッチ本体１６１は、ストップボタン１５３が、軸１５２方向に押圧されることにより、マイクロスイッチ操作部１６１ａに当接され、さらに、マイクロスイッチ操作部１６１ａが軸１５２方向に押圧されることで、マイクロスイッチ１６１ｂがマイクロスイッチ本体１６１に押圧されて、この状態でマイクロスイッチ本体の動作はオフにされる。このとき、タッチスイッチ１６３は、遊技球の発射を停止させる信号を発生する。
【００７０】
さらに、操作つまみ１１３は、金属メッキが施された樹脂成形部材であり、樹脂成形部材１５０と接触を保ちつつ軸１５２を中心として回転する。このように、ハンドルユニット１１１に設けられたハンドル本体１１２の操作つまみ１１３が、パチンコ遊技機１００の本体正面からみて時計方向に回転することにより、図示せぬ遊技球の発射制御ユニットが動作する。
【００７１】
すなわち、操作つまみ１１３は、遊技者により操作されていない状態のとき、図示せぬスプリング等により、図２のパチンコ遊技機１００の本体正面からみて反時計回りに回転可能な限界角度で停止した状態とされる。遊技者が、この操作つまみ１１３を把持して図２中の時計回りの方向に回転させることにより、ハンドルユニット１１１は、操作つまみ１１３の回転角度に応じて、対応する信号を図示せぬ発射装置に伝達する。図示せぬ発射装置は、制御回路１２２により制御され、ハンドルユニット１１１から供給される操作つまみ１１３の回転角度に応じた信号に基づいて、発射モータや発射カムを動作させることにより遊技球の打球槌の強度を制御して、遊技球を発射させる。
【００７２】
このとき、適宜ストップボタン１５３が、図中の矢印方向である軸１５２方向に押圧されることにより、マイクロスイッチ１６１ｂがオフにされ、遊技球の発射が停止させられる。尚、ストップボタン１５３を矢印方向に押圧することにより、遊技球の発射を停止させる動作については詳細を後述する。
【００７３】
以上のような構成により、タッチスイッチ１６３がハンドル本体１１２内に設置される場合（パチンコ遊技機の機種によってはハンドル外に設置される場合もある）、ストップボタン１５３は、回転軸１５２の方向（図４中の矢印方向）に可動する。従って、マイクロスイッチ操作部１６１ａは、樹脂成形部材１５０の底面部１５１に対して平行に操作される配置となる。すなわち、より具体的には、金属プレート１７３の面、およびマイクロスイッチ操作部１６１ａの操作面は、いずれも底面部１５１に対して平行となる。さらに、金属製ネジ１６２ａ，１６２ｂの挿入方向は、底面部１５１に対して垂直方向に設定される。
【００７４】
結果として、遊技者は、ハンドル本体１１２を把持した状態をほぼ維持したままで、ハンドル本体１１２を把持している手のいずれかの指の少なくとも１本を使うのみで、容易にストップボタン１５３を操作させることが可能となるので、遊技者は、自らで設定した遊技球を発射させる操作つまみ１１３の回転角度（遊技球の発射強度）を保ちつつ、必要に応じて遊技球の発射を停止させることが可能となる。
【００７５】
さらに、タッチスイッチ１６３は、ハンドルユニット１１１に取り付ける際、樹脂成形部材１５０に対して、垂直方向に金属製ネジ１６２ａ，１６２ｂを挿入し、螺合させて固定させるのみで、樹脂成形部材１５０に対して固定されると同時に、金属プレート１７３に対しても電気的に接続される。また、ストップボタン１５３の可動方向とマイクロスイッチ操作部１６１ａの操作方向を一致させることが可能になる。また、金属製ネジ１６２ａ，１６２ｂが、樹脂成形部材１５０に対して螺合されるにより、コネクタ１８１，１８２が相互に付勢されることになる。このため、コネクタ１８１，１８２の接続についても容易で、かつ、確実なものとすることが可能となる。結果として作業工数を低減させることが可能になると共に、マイクロスイッチ本体１６１とタッチスイッチ１６３が一体化されているので部品点数を低減させることができコストを低減させることが可能となる。また、部品点数を低減させることにより、装置を小型化および簡素化させることが可能となる。尚、コネクタ１８２については、底面部１５１に対して垂直方向に配設されている。
【００７６】
次に、図７，図８を参照して、タッチスイッチ１６３について説明する。尚、図７と図８におけるタッチスイッチ１６３は、相互の図面において、面の表裏が反転した図である。また、図７は、タッチスイッチ（３線式出力４端子：電源用、回路グランド用、人体接触検知結果の信号出力用の３線と、フレームグランドＦＧ端子付き）１６３の外観を示す斜視図であり、図８は、タッチスイッチ１６３の分解図である。
【００７７】
検出回路基板２０１が、樹脂製のケース１７１ａおよびカバー１７１ｂの内部に収納され、マイクロスイッチ操作部１６１ａおよび金属プレート１７３ａ，１７３ｂが外部に露出している。マイクロスイッチ操作部１６１ａが図７中の上部に出ており、金属プレート１７３ａ，１７３ｂの接触面に対し、マイクロスイッチ本体１６１のマイクロスイッチ操作部１６１ａの可動方向が平行となる。マイクロスイッチ操作部１６１ａは、図７中の矢印方向に可動し、図７の上面より下方向に押圧されることにより、マイクロスイッチ１６１ｂを図７の上面から下方向に押圧する。この操作により、マイクロスイッチ１６１ｂは、オフの状態とされ、それ以外の場合、マイクロスイッチ１６１ｂは、図示せぬバネにより図中上方向に反発力が働くことにより、オンの状態とされている。
【００７８】
図８中の検出回路基板２０１の上面部にはコネクタ１８１、および検出回路１９１などの電子回路が銅箔のパターンにより接続されている。また、マイクロスイッチ本体１６１は、図８中の下面から挿入され、マイクロスイッチ本体１６１の凸部端子１６１ｅ乃至１６１ｇが、検出回路基板２０１を貫通し、上面側に突出した状態で、検出回路基板２０１の図中の上面部分の銅箔のパターンに電気的に接続されている。ケース１７１ａに金属プレート１７３を配置の後、検出回路基板２０１を挿入すると、検出回路基板２０１の図中の背面部と金属プレート１７３の一部が、当接することにより検出回路基板２０１と金属プレート１７３が電気的に接続された状態となっている。
【００７９】
より詳細には、ケース１７１ａの凸部１７１ｃ，１７１ｄが、金属プレート１７３の穴部１７３ｃ，１７３ｄをそれぞれ貫通し、さらに、マイクロスイッチ本体１６１の穴部１６１ｃ，１６１ｄを貫通することで、マイクロスイッチ本体１６１が金属プレート１７３をケース１７１ａに付勢することにより検出回路基板２０１がケース１７１ａ内に挿入される。結果として、後述する図８の検出回路基板２０１の背面部のプリント結線２２１（図１０）が金属プレート１７３と接触することで、検出回路基板２０１と金属プレート１７３が電気的に接続される。
【００８０】
また、図８で示されるように、カバー１７１ｂが、ケース１７１ａの図中におけるそれぞれの対向方向に圧入されることにより、カバー１７１ｂの両端部に設けられたツメ１７１ｇ（カバー１７１ｂの端部に設けられている），１７１ｈが、ケース１７１ａのツメ１７１ｉ，１７１ｊに対してそれぞれ係合されることにより、ケース１７１ａの開口部に係止され、検出回路基板２０１を保護している。
【００８１】
次に、図９，図１０を参照して、検出回路基板２０１の回路パターンについて説明する。尚、図９は、図８の検出回路基板２０１の上面図であり、図１０は、図８の検出回路基板２０１の背面図である。尚、図９，図１０において、図中に横線または縦線で色付けられた範囲は、銅箔による回路パターンを示している。
【００８２】
図９で示されるように、検出回路基板２０１の上面には、コネクタ１８１、検出回路１９１、入力抵抗１９３、およびコンデンサ１９２が設けられ、図１０で示されるように、裏面には、金属プレート１７３と接触するプリント結線２２１、マイクロギャップ２２２，２２３が銅箔パターンにて形成されており、マイクロスイッチ本体１６１が図7中の左部に配設される。
【００８３】
コネクタ１８１のフレームグランドFG端子１８１ａは、スルーホール２１１ａにて図１０で示される検出回路基板２０１の背面部のプリント結線２２４に接続されている。従って、プリント結線２２４は、フレームグランドと等電位となる。また、検出回路１９１は、フレームグランドFG端子１８１ａによりフレームグランドFGに接続されることになる。
【００８４】
プリント結線２２４とプリント結線２２１との間には、対向するように凹凸状の銅箔でプリントされた電極が設けられており、マイクロギャップ２２２が構成されている。図１０においては、４極の電極（４対の凹凸状の電極）からなるマイクロギャップ２２２が構成されており、凸部の端部から凹部の底面までの距離（電極間距離）は、およそ0.2mm程度に設定されている。
【００８５】
コネクタ１８１の回路グランド端子１８１ｂは、スルーホール２１１ｂにて図１０で示される検出回路基板２０１の背面部のプリント結線２２５に接続されている。従って、プリント結線２２５は、回路グランドと等電位となる。
【００８６】
プリント結線２２５とプリント結線２２４との間には、対向するように凹凸状の銅箔でプリントされた電極が設けられており、マイクロギャップ２２３が構成されている。図１０においては、４極の電極（４対の凹凸状の電極）からなるマイクロギャップ２２３が構成されており、凸部の端部から凹部の底面までの距離（電極間距離）は、およそ0.2mm程度に設定されている。
【００８７】
コネクタ１８１の出力端子１８１ｃは、検出回路１９１より出力される人体接触検出結果を制御部１２２に出力する。コネクタ１８１の電源端子１８１ｄは、電源２４８（図１１）より検出回路１９１の駆動用の電力供給を受ける。尚、電源２４８は、電源１２１により直流電源に調整されたものを出力するものとして示しており、実質的には、電源１２１である。
【００８８】
図９中のプリント結線２１１ｃ乃至２１１ｅは、マイクロスイッチ本体１６１の凸部端子１６１ｅ乃至１６１ｇが貫通可能な穴部からなり、穴部を貫通した凸部端子１６１ｅ乃至１６１ｇが、はんだによりプリント結線２１１ｃ乃至２１１ｅに接続している。さらに、プリント結線２１１ｃ乃至２１１ｅは、スルーホール加工（検出回路基板２０１の表裏が電気的に導通する加工）が施されている。
【００８９】
マイクロスイッチ１６１ｂがオンにされた場合（ストップボタン１５３が軸１５２方向に押圧されることにより、マイクロスイッチ操作部１６１ａの自由端部が軸１５２方向に押圧され、マイクロスイッチ１６１ｂがマイクロスイッチ本体１６１に押し込まれた場合）、マイクロスイッチ本体１６１は、プリント結線２１１ｃおよび２１１ｅ間が、電気的に接続されていない状態とするように動作する。逆に、マイクロスイッチ１６１ｂがオフの状態の場合（マイクロスイッチ１６１ｂが、マイクロスイッチ操作部１６１ａの自由端部により軸１５２方向に押圧されることなく、マイクロスイッチ本体１６１から押し出されている場合）、プリント結線２１１ｃおよび２１１ｅ間を短絡するように内部で電気的に接続し、背面のプリント結線２２１と上面部の抵抗１９３間を接続する。
【００９０】
以上の検出回路基板２０１の薄膜プリントによる配線を回路図にしてまとめると図１１で示されるような構成となる。
【００９１】
すなわち、金属プレート１７３とプリント結線２２１は、相互に対向するように接触された状態で付勢されることにより、電気的に接続された状態となっている。さらに、プリント結線２２１は、スルーホール２１１ｅを介して検出回路基板２０１の背面部から上面部のマイクロスイッチ本体１６１（マイクロスイッチ１６１ｂが押圧されていない通常状態の場合、スルーホール２１１ｅ，２１１ｃ間が導通し、マイクロスイッチ１６１ｂが押圧されている状態の場合、スルーホール２１１ｅ，２１１ｃ間が導通しない状態とされる）、抵抗１９３およびコンデンサ１９２を介して検出回路１９１に接続されている。一方、プリント結線２２１は、検出回路基板２０１の背面部のプリント結線２２４との間にマイクロギャップ２２２が設けられている。尚、図１１において、フレームグランドFGは、コネクタ１８１のフレームグランドFG端子１８１ａを、アース配線１３２を介して接地されているガラス扉補強板１０６に接続した（アースボンドした）場合について示しているが、それ以外のフレームグランドFGと接続するようにしても良い。
【００９２】
検出回路１９１は、コネクタ１８１の回路グランド端子１８１ｂを介して、電源２４８の回路グランドに接続され、さらに、検出回路基板２０１の背面部において、プリント結線２２４，２２５間において、マイクロギャップ２２３が構成されている。
【００９３】
検出回路１９１は、コネクタ１８１の電源端子１８１ｄを介して電源２４８より供給される直流電源の供給を受けて、コンデンサ１９２の静電容量に応じた（人体がハンドル本体１１２を把持することにより、樹脂成形部材１５０、金属プレート１７３、プリント結線２２１、マイクロスイッチ本体１６１、および抵抗１９３を介して、変化するコンデンサ１９２の静電容量に応じた）発振信号を人体接触検知結果として生成し、コネクタ１８１の出力端子１８１ｃを介して、制御回路１２２に供給する。
【００９４】
制御回路１２２は、電源１２１（２４８）より供給される直流電源により駆動し、検出回路１９１より供給される発振信号に基づいて、ハンドル本体１１２に人体が接触したか否かを判定し、遊技球の発射装置の動作を制御する。
【００９５】
次に、図１１を参照して、検出回路１９１の構成について説明する。
【００９６】
電源回路２４１は、発振回路２４２、検波回路２４３、積分回路２４４、比較回路２４５、および、出力回路２４６に対して駆動するための所定の電圧の電力を供給する。
【００９７】
発振回路２４２は、コンデンサ１９２の充電電圧に基づいた静電容量の変化に基づいて、所定の周波数のサイン波形の発振信号を発生し、検波回路２４３に出力する。より具体的には、遊技者がハンドル本体１１２を把持することにより、樹脂成形部材１５０、金属プレート１７３、プリント結線２２１、マイクロスイッチ本体１６１（マイクロスイッチ本体１６１はオンであるとき）、および抵抗１９３を介して、コンデンサ１９２の静電容量が変化した場合、発振回路２４２は、発振信号を発振しない。一方、遊技者がハンドルを把持せずコンデンサ１９２の静電容量が変化しない、または、マイクロスイッチ１６１本体がオフである場合、コンデンサ１９２の静電容量は変化しないので、発振回路２４２は、所定の周波数のサイン波形の発振信号を発振する。
【００９８】
検波回路２４３は、発振回路２４２により発生される発振信号を検波し、検波結果を積分回路２４４に供給する。積分回路２４４は、検波回路２４３より供給される検波結果を積分することにより平滑化し、比較回路２４５に供給する。比較回路２４５は、積分回路２４４より供給される積分された（平滑化された）検波結果となる信号を所定の閾値と比較し、閾値より大きい場合と小さい場合毎に２種類の信号を発生し、出力回路２４６に出力する。出力回路２４６は、比較回路２４５より供給される２種類の信号のうち第１の信号の場合、出力端子１８１ｃより後段に信号を出力し、第２の信号の場合、後段に信号を停止する。結果として、発振回路２４２により発振信号が発生された場合、発生されたサイン波形に応じた矩形の波形が生成され、出力端子１８１ｃより出力されることになる。
【００９９】
尚、マイクロギャップ２２２，２２３の電極間距離は、その距離に基づいた絶縁破壊電圧を決定することになるので、保護したい回路の耐圧よりも低い絶縁破壊電圧を設定するように、距離を設定する必要がある。
【０１００】
次に、図１２のフローチャートを参照して、タッチスイッチ１６３による人体接触検知処理について説明する。尚、図１２のフローチャートにおける処理の説明は、各回路における電気的な動作を条件に応じて説明するものであり、各回路が、各ステップの処理を判断したり、各処理を実行するものではない。
【０１０１】
ステップＳ１において、金属プレート１７３の電位が過電圧であるか否かにより動作が決定される。例えば、ステップＳ１において、ハンドル本体１１２を遊技者が把持していないか、または、遊技者がハンドル本体１１２を把持していても、遊技者そのものに過電圧を発生するような静電気が帯電していないような場合、その動作は、ステップＳ２に進む。
【０１０２】
ステップＳ２において、マイクロスイッチ本体１６１が、オンの状態であるか否かにより動作が決定される。すなわち、マイクロスイッチ本体１６１が、オンであるとは、ストップボタン１５３が、遊技者により軸１５２方向に押圧操作されておらず、このためマイクロスイッチ操作部１６１ａも押圧動作されておらず、従って、マイクロスイッチ１６１ｂも押圧されていない状態であって、スルーホール２１１ｃ，２１１ｅ間が導通している状態である。このように、マイクロスイッチ本体１６１がオンの場合、その処理は、ステップＳ３に進む。
【０１０３】
ステップＳ３において、人体が接触したか否かにより動作が決定する。例えば、遊技者がハンドル本体１１２を把持していないような場合、その動作は、ステップＳ４に進む。
【０１０４】
ステップＳ４において、検出回路１９１は、一定の周波数の発振信号を発生し、制御部１２２に供給し、その処理は、ステップＳ１に戻る。より詳細には、検出回路１９１の発振回路２４２は、電源２４８よりコネクタ１８１の電源端子１８１ｄを介して供給される直流電源に基づいて、電源回路２４１より供給される電源に基づいて駆動し、コンデンサ１９２の充電電圧に基づいた静電容量の変化に基づいて、所定の周波数のサイン波形の発振信号を発生し、検波回路２４３に出力する。検波回路２４３は、発振回路２４２により発生されれる信号を検波し、検波結果を積分回路２４４に供給する。積分回路２４４は、検波回路２４３より供給される検波結果を積分することにより平滑化し、比較回路２４５に供給する。比較回路２４５は、積分回路２４４より供給される積分された検波結果となる信号を所定の閾値と比較し、閾値より大きい場合と小さい場合毎に２種類の信号を発生し、出力回路２４６に出力する。出力回路２４６は、比較回路２４５より供給される２種類の信号のうち第１の信号の場合、出力端子１８１ｃより後段に信号を出力し、第２の信号の場合、後段に信号を停止する。結果として、発振回路２４２により発振信号が発生された場合、静電容量に応じて発生されたサイン波形が、矩形の波形として出力端子１８１ｃより出力され、制御回路１２２に出力されることになる。
【０１０５】
この結果、制御回路１２２は、所定の周波数の発振信号の供給を受けているので、人体がハンドル本体１１２を把持していない（接触していない）と判定し、操作つまみ１１３が回転されているか否かに関わらず遊技球を発射させないように遊技球の発射装置を制御する。
【０１０６】
一方、ステップＳ３において、例えば、遊技者がハンドル本体１１２を把持している場合、ステップＳ４の処理はスキップされて、その処理は、ステップＳ１に戻る。より詳細には、このとき、遊技者がハンドル本体１１２を把持することにより、ハンドル本体１１２の表面部と同電位となる金属プレート１７３、プリント結線２２１、スルーホール２３３、抵抗１９３、およびコンデンサ１９２を介して、人体の大地間容量の変化が発振回路２４２に伝達されるため、検出回路１９１は、その変化した静電容量に対応する所定の周波数の発振信号を発生する。ただし、実際には、人体が接触することにより変化する静電容量においては、発振回路２４２が、発振信号の発生を停止することになる（このため、フローチャートでは、ステップＳ３の処理がスキップされているように表現されている）。この結果、制御回路１２２は、所定の周波数の発振信号の供給を受けないことになるので、人体がハンドル本体１１２を把持している（接触している）と判定し、操作つまみ１１３の回転角度に応じた信号に基づいて、発射モータや発射カムを動作させて、遊技球を発射させるように遊技球の発射装置を制御する。
【０１０７】
また、ステップＳ２において、マイクロスイッチ１６１ｂがオフである場合、すなわち、ストップボタン１５３が、遊技者により軸１５２方向に押圧操作されて、このためマイクロスイッチ操作部１６１ａも押圧され、従って、マイクロスイッチ１６１ｂが押圧されることにより、スルーホール２１１ｃ，２１１ｅ間が導通していない状態である。このように、マイクロスイッチ本体１６１がオフの場合、ステップＳ３の処理がスキップされて、その処理は、ステップＳ４に進む。
【０１０８】
すなわち、通常は、上述したステップＳ１乃至Ｓ４の処理により、遊技者がハンドル本体１１２を把持した状態で、かつ、ストップボタン１５３を操作していない状態の場合、操作つまみ１１３が回転させられることにより遊技球が発射され、逆に、遊技者が、ハンドル本体１１２を把持していない状態であるか、または、ストップボタン１５３を操作した状態の場合、操作つまみ１１３が回転させられても遊技球が発射されないように動作される。
【０１０９】
このような動作により、例えば、遊技者が、操作つまみ１１３を不正な方法で所定の回転角度に回転させた状態で固定させるような行為を行っても、遊技球を発射させないようにすることができ、ハンドル本体１１２を把持せずに、遊技球を発射させるといった不正行為を防止することが可能となっている。さらに、遊技者が、ハンドル本体１１２を把持して、操作つまみ１１３を所定の回転角度に回転させた状態を維持しつつ、ストップボタン１５３を押圧することで遊技球を発射させないようにすることができる。
【０１１０】
従って、マイクロスイッチ１６１ｂが開放されている場合、検出回路１９１と金属プレート１７３が分断され、発振回路２４２としては、遊技者がハンドル本体１２２を把持していない状態と同様に所定の周波数の発振信号を発生する。このため、マイクロスイッチ１６１ｂの開閉による影響を受けることなく、検出回路１９１への電力供給は一瞬たりとも停止することがない。結果として、検出回路１９１における電力のオンまたはオフに伴った起動停止が発生しないため、起動時に発生しがちな不安定な信号の発生が抑制されることになるので、制御部１２２に及ぼす影響を抑制することが可能となる。また、遊技球を発射させる条件として、検出回路１９１より発振信号が発せられることになるので、人体の接触やストップボタン１５３（マイクロスイッチ１６１ｂのオンオフ）を正確に識別して制御することが可能となる。
【０１１１】
また、検出回路１９１には、図１５を参照して説明したように、積分回路２４４のような発振回路の高周波振幅の検波平滑機能が存在する。また、マイクロスイッチ本体１６１は、発振回路２４２の前段に設けられる。このため、マイクロスイッチ１６１ｂがオンオフ動作の際にチャタリングを発生しても、積分回路２４４により平滑化されることになるため、いわゆる、波形割れを抑制することができ、有接点スイッチであるマイクロスイッチ１６１ｂの動作を安定化させることが可能となる。
【０１１２】
尚、以上においては、有接点型のマイクロスイッチ１６１ｂを使用した場合について説明してきたが、マイクロスイッチ１６１ｂの構成としては、上述した理由により当然のことながら無接点型の電子スイッチからなるものとしてもよい。
【０１１３】
一方、ステップＳ１において、金属プレート１７３の電位が過電圧である場合、すなわち、例えば、大きな容量の静電気を帯びた人体（遊技者）が、ハンドル本体１１２を把持したような場合、その動作は、ステップＳ５に進む。
【０１１４】
ステップＳ５において、人体（遊技者）に帯電していた静電気は、マイクロギャップ２２２の電極間で放電する。すなわち、人体に帯電していた静電気は、人体により把持されていたハンドル本体１１２、金属プレート１７３、およびプリント結線２２１を通電した後、マイクロギャップ２２２を構成する電極間の絶縁破壊電圧を越えるため、マイクロギャップ２２２を構成する電極間で放電し、コネクタ１８１のフレームグランドFG端子１８１ａに達する。
【０１１５】
ステップＳ６において、フレームグランドFGの方が、マイクロギャップ２２３よりもインピーダンスが低いか否かが判断される。通常、フレームグランドFGは、大地に接地されているため、マイクロギャップ２２３よりも低インピーダンスであるため、その動作は、ステップＳ７に進み、過電圧の静電気は、フレームグランドFGを構成するガラス扉補強板１０６を介して大地に放電する。
【０１１６】
すなわち、ステップＳ５におけるマイクロギャップ２２２の電極間の放電により、抵抗１９３よりも低インピーダンスの回路が形成されるため、静電気は、スルーホール２３３を介して抵抗１９３を通電することなく（抵抗１９３により堰き止められて）、ほぼ全量がプリント結線２２１、マイクロギャップ２２２、プリント結線２２４、スルーホール２３１、およびフレームグランドFG端子１８１ａを経由して、フレームグランドFGを形成するガラス扉補強板１０６に放電する。
【０１１７】
このため、検出回路１９１に対しては、静電破壊を生じるような静電気を遮断させることが可能となり、結果として検出回路１９１を保護することが可能となる。
【０１１８】
さらに、静電気を回路グランドに放電させていないので、例えば、後段の電源２４８および制御回路１２２などに対して、回路グランドから静電気が逆流することによって生じる静電破壊をも抑止することができるので、検出回路１９１のみならず、パチンコ遊技機１００の全体の回路をも保護することが可能となる。
【０１１９】
また、図９，図１０で示されるように、プリント結線２２１からフレームグランドFGと同電位となるプリント結線２２４までの位置関係が固定された検出回路基板２０１で構成されることにより、配線による浮遊容量を最小限に留める（浮遊容量そのものを最小にすると共に、配線の位置などに応じた浮遊容量の変化も最小にする）ことが可能となるため、タッチスイッチとしての検出精度の低下（検出精度のばらつき）を最小限にすることが可能となる。
【０１２０】
ステップＳ７において、フレームグランドFGを構成するガラス扉補強板１０６に全ての静電気が放電されると、その処理は、ステップＳ１に戻る。また、ステップＳ５において、フレームグランドFGの方が、マイクロギャップ２２３よりもインピーダンスが低くない場合、ステップＳ８の動作に進む。
【０１２１】
ステップＳ８において、人体（遊技者）に帯電していた静電気は、マイクロギャップ２２３を通電し、ステップＳ９において、回路グランドに放電する。
【０１２２】
すなわち、フレームグランドFGの方が、マイクロギャップ２２３よりもインピーダンスが低くない場合、静電気は、マイクロギャップ２２３を構成する電極間の絶縁破壊電圧を越えるため、マイクロギャップ２２３を構成する電極間で放電する。この場合、静電気は、プリント結線２２５、スルーホール２２１ｂ、および回路グランド端子１８１ｂを介して、回路グランドに放電される。
【０１２３】
例えば、アース線１３２が正しく接地されていないような場合、ステップＳ６において、フレームグランドFGの方が、マイクロギャップ２２３よりもインピーダンスが高いということがある（通常は、アース線１３２が接地されていなくても、フレームグランドFGを構成するガラス扉補強板１０６の表面積が大きいため低インピーダンスである）。そこで、フレームグランドFGの方が、マイクロギャップ２２３よりもインピーダンスが高い場合、静電気は、マイクロギャップ２２３を介して回路グランドに放電される。結果として、少なくとも検出回路１９１を保護することが可能となる。
【０１２４】
尚、マイクロギャップ２２２，２２３においては、電極間を静電気が放電する際、火花が飛び散るといった現象が生じるが、タッチスイッチ１６３を構成するマイクロギャップ２２２，２２３以外の回路は、マイクロギャップ２２２，２２３が構成された検出回路基板２０１の反対面に設けられている（マイクロギャップ２２２，２２３は、図１０で示される検出回路基板２０１の背面部に配設され、その他の構成は、図９で示される検出回路基板２０１の上面部に配設されている）ので、マイクロギャップ２２２，２２３の電極間で火花が飛び散ることによって生じる他の回路の破損などを抑止することが可能となる。
【０１２５】
また、マイクロギャップは、特性上、放電が生じる度に、いずれか１個の電極が磨耗することになるため、放電の頻度が高いマイクロギャップについては、電極数を増やすようにして、寿命をのばせるようにしてもよい。
【０１２６】
さらに、通常は、フレームグランドFGを構成するガラス扉補強板１０６への放電に使用するマイクロギャップ２２２の方が、マイクロギャップ２２３の使用頻度よりも高いことが予想される。そこで、本実施例においては、図８で示されるように、マイクロギャップ２２２の電極数：マイクロギャップ２２３の電極数＝４：４となっているが、それ以外の電極数、例えば、使用頻度の高いマイクロギャップ２２２の電極数を増やし、使用頻度の低いマイクロギャップ２２３の電極数を減らすような構成にしても良い。
【０１２７】
また、以上においては、マイクロギャップ２２２，２２３を構成する電極間距離が0.2mmの場合について説明してきたが、保護すべき回路の耐圧に応じて変化させるようにしてもよく、高耐圧の回路に対しては、電極間距離を大きくし、低耐圧の回路に対しては、電極間距離を小さくするようにしても良い。
【０１２８】
尚、以上においては、図１１で示されるように、マイクロスイッチ１６１ｂを抵抗１９３の前段に設ける例について説明してきたが、マイクロスイッチ１６１ｂは、制御部１９１の前段に配置されれば、同様の効果を奏する事が可能であるので、例えば、図１３で示されるように、コンデンサ１９２と検出回路１９１との間であってもよいし、図１４で示されるように、抵抗１９３とコンデンサ１９２の間であっても良い。
【０１２９】
また、図１１においては、マイクロギャップ２２３は、電源２４８のコールド側の回路グランドとフレームグランドFG間に設けられているが、これに限るものではなく、例えば、電源２４８のホット側の電力供給がなされているコネクタ１８１の電源端子１８１ｄと、フレームグランドFG間であってもよい。
【０１３０】
さらに、以上においては、３線式のタッチスイッチ１６３（３線式の検出回路１９１）を用いる場合について説明してきたが、２線式（２線式：電源用、回路グランド用の２線であって、電源用の電流の流れを制御することで、人体接触検知結果の信号出力とする方式）であってもよい。
【０１３１】
ここで、図１５を参照して、特に２線式のタッチスイッチ１６３を用いた場合についての構成について説明する。尚、図１１を参照して説明した構成に対応する構成については、同一の符号を付しており、その説明は適宜省略する。図１５の２線式の検出回路１９１において、図１１の検出回路１９１と異なるのは、出力回路２４６に代えて出力回路３０１が設けられており、さらに、マイクロギャップ２２３のみならず、マイクロギャップ２２３ａ，２２３ｂが設けられている点である。
【０１３２】
出力回路３０１は、基本的には出力回路２４６と同様の機能を有するが、比較回路２４５からの比較結果に基づいて、電源回路２４１の出力そのものを制御することで、所定周波数の矩形波を発生することにより、検出回路１９１としての検出結果を出力する。
【０１３３】
また、図１１の直流３線式タッチスイッチと比較して、図１５のマイクロギャップ２２３ａの機能は同等であるが、バックアップ用マイクロギャップ２２３ｂに関しては挿入方法が異なっている。すなわち、図１５の２線式タッチスイッチ１６３においては、外部の負荷抵抗２４７の電流変化を出力信号しているため、基本的には２本の接続線（電源用、回路グランド用）のどちらに負荷抵抗２４７を接続しても機能するが、接続状況次第で接続線部のインピーダンスが変化するため、静電気を放電する経路に差が生じることになる。
【０１３４】
従って、２線式タッチスイッチ１６３においては、マイクロギャップ２２３ａ，２２３ｂを２本の電力供給線のどちらにも挿入しておけば、負荷抵抗２４７が繋がれていない経路を介して静電気が放電されることになる。尚、図１５中のツェナーダイオード２５１は検出回路１９１の保護ダイオードで、マイクロギャップ２２２，２２３ａ，２２３ｂの静電気対策をさらに強化するものである。
【０１３５】
また、マイクロスイッチ本体１６１は、検出回路基板２０１上の銅箔パターンにより接続されているのみであるので、例えば、図１の接続線１２ａに相当するような配線が不要となるため、配線による浮遊静電容量を削減することができるので、タッチスイッチ１６３の検出精度のばらつきを抑えることが可能になると共に、分品点数を削減することができるので、タッチスイッチ１６３のコストを低減させることが可能となる。
【０１３６】
以上においては、タッチスイッチ１６３の形状は、図７で示されるような形状である場合について説明してきたが、タッチスイッチ１６３が、樹脂成形部材１５０の底面部１５１に対して金属プレート１７３と平行に対向するように当接された状態で、金属プレート１７３の穴部１７３ａ，１７３ｂに金属性ネジ１６２ａ，１６２ｂを底面部１５１に対向するように貫通させて、底面部１５１に螺合されるものであれば、その形状は、その他の形状であっても良い。
【０１３７】
図１６乃至図１８は、タッチスイッチ１６３のその他の形状である場合の例を示している。尚、図１６は、その他の形状のタッチスイッチ１６３の分解図であり、図１７は、その他の形状のタッチスイッチ１６３の外観斜視図であり、さらに、図１８は、その他の形状のタッチスイッチ１６３が、底面部１５１に取り付けられる状態を説明する図である。
【０１３８】
金属プレート２７３は、図１７のタッチスイッチ１６３におけるケース２７１ａの図中上面部における長手方向略中央端部に設けられている。マイクロスイッチ本体２６１は、図１７のタッチスイッチの長手方向の端部の側面に配設されており、図中の矢印方向にマイクロスイッチ操作部２６２ａに操作され、マイクロスイッチ操作部２６２ａが、タッチスイッチ１６３の本体側面部に対して押圧されると、マイクロスイッチ２６２ｂが押圧され、マイクロスイッチ本体２６２がオフの状態（上述したスルーホール２１１ｃ，２１１ｅ間が導通していない状態）となり、マイクロスイッチ２６２ｂが、それ以外の状態のとき、マイクロスイッチ２６２はオンの状態（上述したスルーホール２１１ｃ，２１１ｅ間が導通している状態）となる。
【０１３９】
図１６で示されるように、樹脂製のケース２７１ａに金属プレート２７３が、金属プレート２７３の凸状形状と略同一の鍵状の溝３４４ａ，３４４ｂに挿入されると、金属プレート２７３の穴部３４１とケース２７１ａの穴部３４２が略同一の位置として固定される。
【０１４０】
このとき、ケース２７１ａとカバー２７１ｂとが、検出回路基板４０１（図１０で示した背面部のパターンとは異なるが同一の回路を構成するパターンが図１６における検出回路基板４０１の上面部であり、図９で示した検出回路基板２０１の上面部のパターンとは異なるが同一の回路を構成するパターンが図１６における検出回路基板４０１の背面部である）を挟み込むことにより、ケース２７１ａの凸部３０１ａ，３０１ｂが、マイクロスイッチ本体２６１の穴部３１１ａ，３１１ｂに挿入され、マイクロスイッチ本体２６１のマイクロスイッチ２６１ｂが設けられた面と、ケース２７１ａの端部が一致するように固定される。さらに、このとき、ケース２７１ａのツメ３２１ａ乃至３２１ｄが、図１７で示されるように、それぞれカバー２７１ｂの穴部３３１ａ乃至３３１ｄに嵌合することにより、ケース２７１ａとカバー２７１ｂが係止されると共に、検出回路基板４０１が固定される。
【０１４１】
このようにケース２７１ａとカバー２７１ｂが、検出回路基板４０１を挟み込んだ状態の場合、図１６の検出回路基板４０１における上面部（図１０で示したパターンと同様の回路を構成するパターン）のプリント結線２２１が、金属プレート２７３に当接する。結果として、図７のタッチスイッチ１６３と同様に、金属プレート２７３と検出回路基板４０１が電気的に接続される。
【０１４２】
また、コネクタ２８１は、検出回路基板４０１の図１６中の背面方向から図１６中の上方に挿入され、図１６における検出回路基板４０１の上面部に貫通した状態で凸部端子２６１ｃ乃至２６１ｆが固定され、電気的に接続されている。尚、検出回路基板２０１と凸部端子２６１ｃ乃至２６１ｆの接続については、図８におけるマイクロスイッチ本体１６１と検出回路基板２０１との接続手法と同様であるので、詳細な説明は省略する。
【０１４３】
さらに、検出回路基板４０１は、ケース２７１ａの穴部３４２と同軸上に、穴部３４２の径よりも大きな径からなる凹部３５１が設けられている。さらに、カバー２７１ｂにおいても、ケース２７１ａの穴部３４２と同軸上に、穴部３４２の径よりも大きな径からなる凹部３６１が設けられている。
【０１４４】
このような構成により、図１６乃至図１８に示されるタッチスイッチ１６３は、図１８で示されるように、図１７の上面部と金属メッキが施された樹脂成形部材１５０の底面部１５１が当接されて、かつ、マイクロスイッチ操作部２６２ａが、ストップボタン１５３に対向する方向とした状態で、凹部３６１および穴部３４２を図１８中の上部より下部方向に金属製ネジ１６２を貫通させ、底面部１５１に螺合することで固定される。このように固定されることにより、金属プレート２７３のうち、ケース２７１ａより露出していた部分が底面部１５１に当接された状態で固定されるため電気的にハンドル本体１１２とタッチスイッチ１６３とが接続された状態となる。
【０１４５】
このため、ハンドル本体１１２、樹脂成形部材１５０への人体接触有無に対応する容量変化がタッチスイッチ１６３の検出回路１９１に伝達される。
【０１４６】
このように、図１６乃至図１８のタッチスイッチ１６３は、図５乃至図８のタッチスイッチ１６３と比べると外観は大きく異なるものの、金属プレート１７３，２７３の接触面とマイクロスイッチ１６１ｂ，２６２ｂのそれぞれの操作方向は平行であり、金属製ネジ１６２ａ，１６２ｂ，１６２の挿入される方向、およびコネクタ１８２がタッチスイッチ１６３に挿入される方向が金属プレート１７３，２７３の接触面に対して垂直であることは同様である。
【０１４７】
結果として、遊技者は、ハンドル本体１１２を把持した状態をほぼ維持したままの状態で、ハンドル本体１１２を把持している手のいずれかの指の少なくとも１本を使うことで、ストップボタン１５３を操作させることが可能になるため、容易にストップボタン１５３を操作させることが可能となる。
【０１４８】
さらに、タッチスイッチ１６３は、ハンドルユニット１１１に取り付ける際、樹脂成形部材１５０に対して、垂直方向に金属製ネジ１６２を挿入し、螺合させて固定させるのみで、樹脂成形部材１５０に対して固定されると同時に、金属プレート１７３に対しても電気的接続される。また、ストップボタン１５３の可動方向とマイクロスイッチ本体１６１ａの操作方向を一致させることが可能になる。さらに、金属製ネジ１６２が、樹脂成形部材１５０に対して螺合されるにより、コネクタ２８１と１８２とが相互に接続されることになる。このため、コネクタ２８１と１８２の接続についても容易にできる。また、タッチスイッチ１６３は、マイクロスイッチ本体１６１と一体成形されているので、タッチスイッチ１６３を固定するのみで、マイクロスイッチ本体１６１をも同時に固定することが可能となる。
【０１４９】
結果として、タッチスイッチ１６３をハンドルユニット１１１に取り付ける作業における作業工数を削減することができ、かつ、確実なものとすることが可能となる。また、部品点数を低減させることにより、装置を小型化および簡素化させることが可能となる。
【０１５０】
尚、図１６乃至図１８のタッチスイッチ１６３については、図５乃至図８を参照して説明したタッチスイッチ１６３と外形において異なるのみで、同様の動作を実行するので、動作の説明は省略する。
【０１５１】
また、以上においては、回路保護素子として、マイクロギャップを使用した例について説明してきたが、それ以外の回路保護素子を使用するようにしてもよく、例えば、アレスタ、または、バリスタなどを使用するようにしてもよい。
【０１５２】
さらに、以上においては、ハンドル本体１１２、金属プレート１７３、およびプリント結線２２１より人体の接触による大地間容量の変化を検出する例について説明してきたが、プリント結線２２１をコネクタ１８１の端子として構成するようにしても良い。しかしながら、この場合、ハンドル本体１１２または金属プレート１７３からの配線が必要となるため、配線による浮遊容量を考慮する必要がある。さらに、プリント結線２２１が、そのままハンドル本体１１２となるような構成でも良い（ハンドル本体１１２を、プリント結線２２１を構成する銅箔パターンの一部としてもよい）。
【０１５３】
尚、本明細書において、処理を記述するステップは、記載された順序に沿って時系列的に行われる処理は、もちろん、必ずしも時系列的に処理されなくとも、並列的あるいは個別に実行される処理を含むものである。
【図面の簡単な説明】
【０１５４】
【図１】従来のタッチスイッチの構成を示す図である。
【図２】本発明を適用したパチンコ遊技機の構成を示す図である。
【図３】本発明を適用したパチンコ遊技機の構成を示す図である。
【図４】図２のパチンコ遊技機のハンドルユニットを説明する図である。
【図５】図２のパチンコ遊技機のハンドルに内蔵されるタッチスイッチの取り付けを説明する図である。
【図６】図２のパチンコ遊技機のハンドルに内蔵されるタッチスイッチの取り付けを説明する図である。
【図７】図２のパチンコ遊技機のハンドルに内蔵されるタッチスイッチの外観斜視図である。
【図８】本発明を適用したタッチスイッチの分解図である。
【図９】図８の検出回路基板の上面図である。
【図１０】図８の検出回路基板の背面図である。
【図１１】図２の検出回路基板の回路図である。
【図１２】人体接触検知処理を説明するフローチャートである。
【図１３】図２の検出回路基板のその他の回路図である。
【図１４】図２の検出回路基板のさらにその他の回路図である。
【図１５】図２の検出回路基板のさらにその他の回路図である。
【図１６】図２のパチンコ遊技機のハンドルに内蔵されるタッチスイッチのその他の形態の分解図である。
【図１７】図２のパチンコ遊技機のハンドルに内蔵されるタッチスイッチのその他の形態の外観斜視図である。
【図１８】図２のパチンコ遊技機のハンドルに内蔵されるタッチスイッチのその他の形態の取り付けを説明する図である。
【符号の説明】
【０１５５】
１００  パチンコ遊技機
１０６  ガラス扉補強板
１３２  アース線
１５３  ストップボタン
１６１  マイクロスイッチ本体
１６１ａ  マイクロスイッチ動作部
１６１ｂ  マイクロスイッチ
１６２，１６２ａ，１６２ｂ  金属性ネジ
１６３  タッチスイッチ
１７３，１７３ａ，１７３ｂ  金属プレート
１８１  コネクタ
１９１  検出回路
２０１  検出回路基板
２２１  電子スイッチ内部回路
１９２  コンデンサ
１９３  抵抗
２１１ａ乃至２１１e  スルーホール
２２１乃至２２３  プリント結線
２２２，２２３  マイクロギャップ
【図１】
2006043003.tif 000003
【図２】
2006043003.tif 000004
【図３】
2006043003.tif 000005
【図４】
2006043003.tif 000006
【図５】
2006043003.tif 000007
【図６】
2006043003.tif 000008
【図７】
2006043003.tif 000009
【図８】
2006043003.tif 000010
【図９】
2006043003.tif 000011
【図１０】
2006043003.tif 000012
【図１１】
2006043003.tif 000013
【図１２】
2006043003.tif 000014
【図１３】
2006043003.tif 000015
【図１４】
2006043003.tif 000016
【図１５】
2006043003.tif 000017
【図１６】
2006043003.tif 000018
【図１７】
2006043003.tif 000019
【図１８】
2006043003.tif 000020